(57)【要約】【課題】任意の位置で安定して持つことのできるキャリーバッグを提供する。【解決手段】キャリーバッグは、収納物を収納可能な収納部２０と、収納部２０の下面側で少なくとも１輪が非直線上に設けられた３輪以上のキャスター６０と、３輪以上のキャスター６０が接地された状態で収納部から略鉛直方向に延びるシャフト部４０と、シャフト部４０の上端に連設されるハンドル部５０とを有する。ハンドル部５０は、３輪以上のキャスター６０が接地された状態で移動させる際に使用者が把持する把持部５１、５２、５３を複数有しており、複数の把持部５１、５２、５３は、３輪以上のキャスター６０が接地された状態で移動させる際に、該３輪以上のキャスター６０の接地部分で囲まれた領域の上方の領域内で、かつ、キャスター６０の回動軸の軸方向における異なる位置に設けられている。【選択図】図１
2019107086.tif 000002
【特許請求の範囲】
【請求項１】
収納物を収納可能な収納部と、前記収納部の下面側で少なくとも１輪が非直線上に設けられた３輪以上のキャスターと、前記３輪以上のキャスターが接地された状態で前記収納部から略鉛直方向に延びるシャフト部と、前記シャフト部の上端に連設されるハンドル部とを有するキャリーバッグであって、
前記ハンドル部は、前記３輪以上のキャスターが接地された状態で移動させる際に使用者が把持する把持部を複数有しており、
前記複数の把持部は、前記３輪以上のキャスターが接地された状態で移動させる際に、該３輪以上のキャスターの接地部分で囲まれた領域の上方の領域内で、かつ、キャスターの回動軸の軸方向における異なる位置に設けられているキャリーバッグ。
【請求項２】
前記収納部が載置される矩形状の支持部をさらに有し、
前記３輪以上のキャスターは、前記支持部の下面に設けられ、
前記シャフト部は、前記支持部の一辺から略鉛直方向に延びており、
前記ハンドル部は、前記シャフト部の上端から略直交方向に延びており、
前記ハンドル部の先端は、前記一辺と該一辺と対向する他辺との中間位置より前記他辺側の領域内に設けられている請求項１に記載のキャリーバッグ。
【請求項３】
前記ハンドル部は、上面視台形状に形成されている請求項１又は２に記載のキャリーバッグ。
【請求項４】
前記ハンドル部は、上面視Ｕ字状に形成されている請求項１又は２に記載のキャリーバッグ。
【請求項５】
前記シャフト部は、前記３輪以上のキャスターが接地された状態で移動させる際に、前方側に設けられた第１シャフトと、後方側に設けられるとともに前記第１シャフトと平行に延びる第２シャフトを有し、
前記ハンドル部の前端縁は、前記第１シャフトより前方側に位置しているとともに、前記ハンドル部の後端縁は、前記第２シャフトより後方側に位置している請求項１〜４のいずれか一項に記載のキャリーバッグ。
【発明の詳細な説明】
【技術分野】
【０００１】
本発明は、キャリーバッグに関する。
【背景技術】
【０００２】
一般的なキャリーバッグは、収納物を収納する収納部分と、収納部分の上方に位置する持ち手部分と、収納部分の下面側に取り付けられたキャスターとを有している。キャスターを接地させた状態で押したり引いたりすることで、比較的重い荷物でも容易に運ぶことができる。中でも、収納部分の下面側の４隅にそれぞれキャスターが取り付けられているようなキャリーバッグでは、一側辺側の２輪のキャスターを接地させるとともに他側辺側の２輪のキャスターを浮かせて、収納部分を斜めに倒した状態で引いたり、４輪のキャスターをすべて接地させて押したりすることができる。そのため、収納物の重量、使用時の周辺環境、使用者の体格や力等の状況に合わせて使用態様を適宜選択することができて利便性が高い。
【０００３】
ところで、こうしたキャリーバッグを高齢者等が歩行補助のために使用する場合がある。この場合には、４輪のキャスターをすべて接地させた状態で押すことにより、キャリーバッグの持ち手部分に体重を掛けて、杖の代わりとすることができる。
【０００４】
特許文献１には、持ち手部分に体重を掛けても楽に移動させることができるキャスター付きの鞄が記載されている。図１０に示すように、特許文献１に記載のキャスター付きの鞄１００は、底面の４隅にキャスター１６０が取り付けられたベースフレーム１１０と、ベースフレーム１１０に装着されて収納物を収納する鞄本体１２０を有している。ベースフレーム１１０は、鞄本体１２０を載置する載せ台１３０と、載せ台１３０の一側辺側に固定されて上方に引出し自在な伸縮ロッド１４０と、伸縮ロッド１４０の上縁に連設されたグリップ１５０を有している。使用者は、伸縮ロッド１４０を適宜の高さに調整し、グリップ１５０を把持して、４隅のキャスター１６０がすべて接地した状態で、鞄１００を移動させることができる。
【０００５】
図１０に示すように、特許文献１に記載のキャスター付きの鞄１００では、使用者がグリップ１５０に体重を掛けても安定するように、伸縮ロッド１４０が湾曲した形状とされている。使用時に使用者がグリップ１５０を上方へ引き上げると、グリップ１５０が鞄本体１２０の中間部分の上方に位置するように構成されている。グリップ１５０が鞄本体１２０の中間部分の上方に位置することで、グリップ１５０に体重を掛けても鞄１００が倒れにくく安定するとされている。
【先行技術文献】
【特許文献】
【０００６】
【特許文献１】特開２００４−３４４３５５号公報
【発明の概要】
【発明が解決しようとする課題】
【０００７】
しかし、伸縮ロッド１４０が湾曲している形状のために、伸縮ロッド１４０の引き出し量によっては、グリップ１５０の位置に制約が生じるといった問題がある。図１１に示すように、伸縮ロッド１４０は、載せ台１３０の一側辺側に固定されており、上方に引き出される部分が湾曲した形状とされているため、どの位置まで上方に引き出されたかによって、グリップ１５０の水平方向の位置が異なることになる。そのため、背の高い使用者が使用する場合（図１１に二点鎖線で示す）には、引き出し量Ｈ１が大きいために、グリップ１５０は鞄本体１２０の中間部分の上方に位置する一方、背の低い使用者が使用する場合（図１１に実線で示す）には、引き出し量Ｈ２が小さいために、グリップ１５０は前記一側辺に近いところに位置することになる。その結果、使用者が鞄１００を支持する位置に制約が生じてしまい、安定した状態で鞄１００を移動させることが難しくなる場合がある。
【０００８】
本発明は、従来のこうした問題を解決するためになされたものであり、その目的は、任意の位置で安定して持つことのできるキャリーバッグを提供することである。
【課題を解決するための手段】
【０００９】
上記課題を解決するため、本発明は、収納物を収納可能な収納部と、前記収納部の下面側で少なくとも１輪が非直線上に設けられた３輪以上のキャスターと、前記３輪以上のキャスターが接地された状態で前記収納部から略鉛直方向に延びるシャフト部と、前記シャフト部の上端に連設されるハンドル部とを有するキャリーバッグであって、前記ハンドル部は、前記３輪以上のキャスターが接地された状態で移動させる際に使用者が把持する把持部を複数有しており、前記複数の把持部は、前記３輪以上のキャスターが接地された状態で移動させる際に、該３輪以上のキャスターの接地部分で囲まれた領域の上方の領域内で、かつ、キャスターの回動軸の軸方向における異なる位置に設けられている。
【００１０】
上記の構成によれば、キャリーバッグの収納部の下面側に設けられた３輪以上のキャスターを接地すると、キャリーバッグが自立可能な状態となる。キャリーバッグが自立可能な状態となったとき、シャフト部は収納部から略鉛直方向に延びており、ハンドル部は、シャフト部の上端に連設されている。そのため、ハンドル部は、キャリーバッグを自立状態で移動させる際に収納部の上方に位置することになる。
【００１１】
ハンドル部は、使用者が把持する把持部を複数有しており、複数の把持部は、キャリーバッグを自立状態で移動させる際のキャスターの回動軸の軸方向における異なる位置に設けられている。そのため、使用者は、キャリーバッグの移動方向に直交する方向の異なる任意の位置で、複数の把持部から選択したいずれかの把持部を把持することができる。例えば、使用者の側面でキャリーバッグを押すような場合、自身に近い位置の把持部を把持することもできるし、自身に遠い位置の把持部を把持することもできる。収納物の重量、使用時の周辺環境、使用者の体格や力等に制約を受けることなく、使用者は自身が把持しやすい位置を任意に選択して把持することができる。キャリーバッグの利便性が向上する。
【００１２】
また、複数の把持部は、キャリーバッグを自立状態で移動させる際のキャスターの接地部分で囲まれた領域の上方の領域内に設けられている。そのため、キャリーバッグが自立可能な状態となったときや自立可能な状態で移動させるとき、使用者が複数の把持部のいずれかを把持して体重を掛けると、３輪以上のキャスターの接地部分で囲まれた領域内に力が作用することになる。その結果、使用者が体重を掛けてもキャリーバッグは倒れにくく安定した状態となっている。
【００１３】
なお、複数の把持部とは、ハンドル部が有する複数の把持部のそれぞれを明確に区別できる場合に限らず、複数の把持部が連続して形成されていてその境界を明確に判別できない場合も含むものとする。
【００１４】
上記の発明において、前記収納部が載置される矩形状の支持部をさらに有し、前記３輪以上のキャスターは、前記支持部の下面に設けられ、前記シャフト部は、前記支持部の一辺から略鉛直方向に延びており、前記ハンドル部は、前記シャフト部の上端から略直交方向に延びており、前記ハンドル部の先端は、前記一辺と該一辺と対向する他辺との中間位置より前記他辺側の領域内に設けられていることが好ましい。
【００１５】
なお、シャフト部の上端から略直交方向に延びているとは、ハンドル部がシャフト部の上端に対して直交している場合に限らず、ハンドル部がシャフト部の上端から湾曲するように連設されて徐々に直交する形状となる場合も含むものとする。
【００１６】
上記の発明において、前記ハンドル部は、上面視台形状に形成されていることが好ましい。
上記の発明において、前記ハンドル部は、上面視Ｕ字状に形成されていることが好ましい。
【００１７】
上記の発明において、前記シャフト部は、前記３輪以上のキャスターが接地された状態で移動させる際に、前方側に設けられた第１シャフトと、後方側に設けられるとともに前記第１シャフトと平行に延びる第２シャフトを有し、前記ハンドル部の前端縁は、前記第１シャフトより前方側に位置しているとともに、前記ハンドル部の後端縁は、前記第２シャフトより後方側に位置していることが好ましい。
【発明の効果】
【００１８】
本発明によれば、任意の位置で安定して持つことのできるキャリーバッグを得ることができる。
【図面の簡単な説明】
【００１９】
【図１】本実施形態のキャリーバッグを示す斜視図。
【図２】（ａ）は、フレーム体を正面側から見た斜視図、（ｂ）は、収納部を背面側から見た斜視図。
【図３】キャスター部について説明する図。
【図４】ハンドル部の上面図。
【図５】ハンドル部について説明する図。
【図６】（ａ）、（ｂ）は、キャリーバッグの使用状態について説明する図。
【図７】（ａ）〜（ｃ）は、キャリーバッグの使用状態を上方から見た図。
【図８】（ａ）〜（ｇ）は、ハンドル部の変更例の斜視図。
【図９】（ａ）〜（ｅ）は、フレーム体の変更例について説明する図。
【図１０】キャリーバッグの従来例を示す斜視図。
【図１１】キャリーバッグの従来例について説明する模式図。
【発明を実施するための形態】
【００２０】
以下、本発明を具体化したキャリーバッグについて説明する。
図１及び図２に示すように、本実施形態のキャリーバッグは、下面にキャスター６０が取り付けられて転動可能なフレーム体１０と、収納物を収納可能な収納本体２０とで構成されている。ここでは、キャリーバッグの方向を表すために、図１の右斜め下方側をキャリーバッグの正面側とし、図１の左斜め上方側をキャリーバッグの背面側とする。
【００２１】
図２（ａ）に示すように、フレーム体１０は、パイプ状の部材を曲げ加工して形成されている。フレーム体１０は、収納本体２０が載置される長方形状の底面支持部３１と、底面支持部３１の背面側で底面支持部３１に対して直交する形状の側面支持部３２を有している。底面支持部３１の下面における４隅の角部近傍には、キャスター６０がそれぞれ１つずつ取り付けられている。また、フレーム体１０は、側面支持部３２に沿って上方へ延びる形状のシャフト部４０と、シャフト部４０の上端からシャフト部４０に対して直交する形状のハンドル部５０を有している。
【００２２】
フレーム体１０を構成するパイプ状の部材の材質は特に限定されないが、例えば、炭素繊維強化樹脂、ガラス繊維強化樹脂、ポリエチレン繊維強化樹脂等の繊維強化樹脂材料、鉄、アルミニウム等の金属材料、ポリアミド樹脂、ポリウレタン樹脂等の熱可塑性樹脂材料等が挙げられる。中でも、軽量であり、強度に優れた炭素繊維強化樹脂で形成されていることが好ましい。また、パイプ状の部材の断面形状は特に限定されず、断面矩形状であっても、断面楕円形状であっても、断面円形状であってもよい。さらに、パイプ状の部材の径は特に限定されず、キャリーバッグに求められる強度や操作性等、或いは加工容易性を考慮して適宜設定することができる。パイプ状の部材の径は、底面支持部３１、側面支持部３２、シャフト部４０、及びハンドル部５０のすべてで同じであってもよく、少なくともいずれか１つで異なっていてもよい。
【００２３】
図２（ａ）に示すように、長方形状の底面支持部３１は、長手方向に延びる２つの長辺部３１ａと、短手方向に延びる２つの短辺部３１ｂを有している。長辺部３１ａと短辺部３１ｂとからなる長方形の外縁は、後に説明する収納本体２０の底面２０ａの外縁とほぼ同じ大きさとされている。
【００２４】
底面支持部３１に対して直交する形状の側面支持部３２は、横方向に比べて上下方向がやや短い長方形状をなし、短手方向（上下方向）に延びる２つの短辺部３２ｂと、長手方向（横方向）に延びる２つの長辺部３２ａを有している。２つの短辺部３２ｂは、底面支持部３１の背面側の長辺部３１ａの両端部から上方へ延びており、側面支持部３２の下側の長辺部３２ａは、底面支持部３１の背面側の長辺部３１ａと共通する同一部材とされている。長辺部３２ａと短辺部３２ｂとからなる長方形の外縁は、後に説明する収納本体２０の背面側の側面２０ｂの外縁とほぼ同じ大きさとされている。
【００２５】
図３に示すように、底面支持部３１の下面の４隅に設けられたキャスター６０は、底面支持部３１に直交する方向に延びる取付軸６１によって底面支持部３１に取り付けられている。キャスター６０は、取付軸６１の周りに３６０度自由回転可能とされている。フレーム体１０は、４輪のキャスター６０が接地された状態で、自立可能、かつ、任意の方向に移動可能とされている。また、４輪のキャスター６０すべてが、取付軸６１の周りに３６０度自由回転可能とされていることから、任意の方向に移動する際には、すべてのキャスター６０の回動軸６２が、同一方向を指向する。例えば、キャリーバッグを上面視した図５で矢印方向に移動する場合には、すべてのキャスター６０の回動軸６２は、移動方向である矢印方向に直交する方向を指向する。
【００２６】
図２（ａ）に示すように、シャフト部４０は、底面支持部３１の背面側の長辺部３１ａの中間部分から上方へ延びる２つのシャフト４１、４２を有している。これらシャフト４１、４２は、側面支持部３２の上下の長辺部３２ａのそれぞれに接合されている。各シャフト４１、４２のうち、側面支持部３２の上側の長辺部３２ａより上方の部分は、図示しない伸縮機構によって伸縮可能とされている。具体的には、シャフト４１、４２の上端部が側面支持部３２の上側の長辺部３２ａに位置する状態を最短の長さとして伸縮可能とされている。また、シャフト４１、４２は、図示しないストッパ機構によって、任意の長さに固定可能とされている。
【００２７】
図２（ａ）に示すように、ハンドル部５０は、２本のシャフト４１、４２の上端からシャフト４１、４２に対して直交する形状とされている。そのため、４輪のキャスター６０が接地された状態では、ハンドル部５０は設置面に対して略水平方向に延びている。
【００２８】
図４に示すように、本実施形態のハンドル部５０は、上面視台形状に形成されている。具体的には、シャフト部４０側、つまり、キャリーバッグの背面側が幅広となる台形状に形成されている。ハンドル部５０の背面側の長さＬ１は、２つのシャフト４１、４２の間隔Ｌ２より長い。そして、使用者がキャリーバッグの正面側を自身の横に位置させて移動させる場合（図６（ａ）に示す状態）に、ハンドル部５０の背面側の部分は、その前端縁が前方側に設けられたシャフト４１より前方側に位置し、その後端縁が後方側に設けられたシャフト４２より後方に位置している。
【００２９】
図４に示すように、ハンドル部５０の背面側の２つの角部５０ａ及び正面側の２つの角部５０ｂはＲ形状をなしている。正面側の角部５０ｂは、シャフト４１、４２を構成するパイプ状の部材の中心軸線を基準として、Ｒ５０ｍｍ以上であることが好ましい。具体的には、図６（ａ）に示す状態で使用する際、前方側に位置する角部５０ｂは、後方側に位置するシャフト４２の中心軸線を基準としてＲ５０ｍｍ以上であり、後方側に位置する角部５０ｂは、前方側に位置するシャフト４１の中心軸線を基準としてＲ５０ｍｍ以上であることが好ましい。また、前方側に位置する角部５０ｂと後方側に位置する角部５０ｂとは同じＲとされていることが好ましい。
【００３０】
図４及び図５に示すように、ハンドル部５０には、４輪のキャスター６０が接地した状態で移動させる際に使用者が把持する把持部５１、５２、５３が複数設けられている。上面視台形状に形成された本実施形態のハンドル部５０には、使用者がキャリーバッグの正面側を自身の横に位置させて移動させる場合（図６（ａ）に示す状態）に、前後方向に延びる第１把持部５１と、第１把持部５１の前端縁から斜め前方向に延びる第２把持部５２と、第１把持部５１の後端縁から斜め後ろ方向に延びる第３把持部５３が設けられている。使用者は、これら把持部５１、５２、５３を適宜選択して把持することができる。また、把持部５１、５２、５３は、ハンドル部５０において連設された形状で形成されていることから、使用者は、第１把持部５１と第２把持部５２との間のＲ形状の部分、第１把持部５１と第３把持部５３との間のＲ形状の部分を適宜選択して把持することもできる。なお、便宜上、ハンドル部５０において、第２把持部５２の背面側端縁と第３把持部５３の背面側端縁を連結する部分を連結部５５という。
【００３１】
図３及び図５に示すように、把持部５１、５２、５３は、４輪のキャスター６０を接地した状態で移動させる場合に、４輪のキャスター６０の接地部分６３で囲まれた領域の上方の領域内に設けられている。図５では、キャリーバッグを上面視しているため、４輪のキャスター６０の接地部分６３は、キャスター６０の回動軸６２と重なっている。また、ハンドル部５０の先端は、キャリーバッグの背面側と正面側との間の中間位置Ｃから、正面側に偏倚した位置に設けられている。
【００３２】
図２（ｂ）に示すように、本実施形態の収納本体２０は、直方体箱形状に形成されている。収納本体２０を構成する材料は特に限定されないが、例えば、フレーム体１０と同様の材料が挙げられる。また、編物、織物、不織布等からなる布製品、皮革製品等であってもよい。
【００３３】
本実施形態の収納本体２０は、正面側の側面に図示しない開口部が形成されており、開口部を介して収納本体２０内へ収納物を入れたり、収納本体２０から収納物を出したりすることができる。開口部の形状、形成位置等は特に限定されるものではなく、適宜決定することができる。また、収納本体２０の正面側の側面ではなく、収納本体２０の上面に形成されていてもよく、上面から側面に亘って形成されていてもよい。
【００３４】
図２（ｂ）に示すように、収納本体２０の底面２０ａには、その外周縁全周に亘って切り欠かれた形状の凹部２０ｃが形成されている。また、収納本体２０の背面側の側面２０ｂには、その外周縁全周に亘って切り欠かれた形状の凹部２０ｄが形成されている。凹部２０ｃは、フレーム体１０の底面支持部３１の長辺部３１ａ及び短辺部３１ｂがなす長方形状と合致する形状とされている。また、凹部２０ｄは、フレーム体１０の側面支持部３２の長辺部３２ａ及び短辺部３２ｂがなす形状と合致する形状とされている。そのため、フレーム体１０の底面支持部３１上に収納本体２０の底面２０ａを載置すると、収納本体２０の底面２０ａの凹部２０ｃ内に底面支持部３１の長辺部３１ａ及び短辺部３１ｂが収まり、収納本体２０の背面側の側面２０ｂの凹部２０ｄ内に側面支持部３２の長辺部３２ａ及び短辺部３２ｂが収まる。これにより、収納本体２０は、フレーム体１０上で安定して支持される。
【００３５】
次に、本実施形態のキャリーバッグの作用について説明する。
図６（ａ）に示すように、使用者は、キャリーバッグの４輪のキャスター６０をすべて接地させ、シャフト部４０に設けられた伸縮機構及びストッパ機構によりハンドル部５０が自身の把持しやすい位置となるように調整する。そして、キャリーバッグの正面側を自身の横に位置させた状態でハンドル部５０に設けられた第１把持部５１、第２把持部５２、第３把持部５３から選択した任意の位置を把持する。このとき、各把持部５１、５２、５３は、図５に示すように、４輪のキャスター６０の接地部分６３で囲まれた領域の上方の領域内に設けられている。したがって、この状態で、使用者がハンドル部５０に体重を掛けてキャリーバッグを押すと、ハンドル部５０に掛けられた力は、４輪のキャスター６０の接地部分６３で囲まれた領域内に作用することになる。そのため、キャリーバッグは安定して支持される。
【００３６】
図５に示すように、第１把持部５１と第２把持部５２及び第３把持部５３とは、キャリーバッグを自立状態で移動させる際のキャスター６０の回動軸６２の軸方向における異なる位置に設けられている。つまり、第１把持部５１と第２把持部５２及び第３把持部５３とは、使用者がキャリーバッグの正面側を自身の横に位置させた状態でハンドル部５０を把持したとき、使用者の側方の異なる位置に設けられている。そのため、使用者は、自身に近い位置の第１把持部５１を把持することもできるし、自身に遠い位置の第２把持部５２や第３把持部５３を把持することもできる。使用者は自身が把持しやすい位置の把持部５１、５２、５３を自由に選択して把持することができる。
【００３７】
また、図７（ａ）〜図７（ｃ）に示すように、使用者は、自身に対するキャリーバッグの位置によって、各把持部５１、５２、５３から任意の把持部を選択することができる。図７（ａ）に示すように、使用者がキャリーバッグを自身の横に位置した状態で移動させたいときには、近い位置にある第１把持部５１を把持すればよい。一方、図７（ｂ）に示すように、使用者がキャリーバッグを自身の斜め前方に位置した状態で移動させたいときには、近い位置にある後方側の第３把持部５３を把持すればよい。そして、図７（ｃ）に示すように、使用者がキャリーバッグを自身の斜め後方に位置した状態で移動させたいときには、近い位置にある前方側の第２把持部５２を把持すればよい。ハンドル部５０は上面視台形状に形成されているため、キャリーバッグを自身の斜め前方や斜め後方に位置した状態で移動させたいとき、第２把持部５２及び第３把持部５３は、キャリーバッグの移動方向に対して斜めに傾斜していることになり、使用者は無理なく第２把持部５２及び第３把持部５３を把持することができる。
【００３８】
また、図７(ａ)〜図７（ｃ）に二点鎖線で示すように、いずれの把持部５１、５２、５３を把持する場合も、各把持部５１、５２、５３における任意の位置を把持することができる。そして、各把持部５１、５２、５３は、連設された形状で形成されているため、第１把持部５１と第２把持部５２との間のＲ形状の部分、第１把持部５１と第３把持部５３との間のＲ形状の部分を適宜選択して把持することもできる。
【００３９】
特許文献１に記載のキャスター付きの鞄１００は、図６（ｂ）に示すように、伸縮ロッド１４０側を自身の横に位置させた状態で使用するものである。また、伸縮ロッド１４０が湾曲している形状のために、伸縮ロッド１４０の引き出し量によってグリップ１５０の水平方向の位置が変わる。グリップ１５０の水平方向の位置は、使用者の体格に影響されやすい。
【００４０】
この点、本実施形態のキャリーバッグでは、図６（ａ）に示すように、ハンドル部５０の先端の第１把持部５１は、シャフト部４０の引き出し量に拘わらず水平方向の位置が常に一定である。そのため、各把持部５１、５２、５３の水平方向の位置は、使用者の体格等に影響されにくい。
【００４１】
また、従来のキャスター付きの鞄１００では、伸縮ロッド１４０の引き出し量を最も大きくして、最も高い位置までグリップ１５０を引き出した状態でも、グリップ１５０は、鞄１００の背面側と正面側との間の中間位置Ｃより正面に近い側、つまり、伸縮ロッド１４０に近い側に位置することになる。そのため、使用者がキャスター付きの鞄１００の正面側を自身の横に位置させた状態で移動させる際、グリップ１５０に体重を掛けると、鞄１００は使用者側に倒れやすくなる。
【００４２】
この点、本実施形態のキャリーバッグでは、図５に示すように、ハンドル部５０の先端の第１把持部５１は、底面支持部３１の背面側の長辺部３１ａと該背面側の長辺部３１ａと対向する正面側の長辺部３１ａとの中間位置Ｃより正面の長辺部３１ａ側の領域内に設けられている。つまり、第１把持部５１は、フレーム体１０の背面側の長辺部３１ａの中間部分から上方へ延びるシャフト４１、４２から離れた側に位置することになる。また、ハンドル部５０の先端の第１把持部５１は、その引き出し量に拘わらず、一定である。そのため、使用者がキャリーバッグの正面側を自身の横に位置させた状態で移動させる際、ハンドル部５０に体重を掛けても、キャリーバッグは倒れにくく、キャリーバッグは安定した状態で支持される。
【００４３】
次に、本実施形態のキャリーバッグの効果について述べる。
（１）本実施形態のキャリーバッグは、収納本体２０の底面支持部３１の下面側に、４輪のキャスター６０が取り付けられており、４輪のキャスター６０を接地すると、キャリーバッグが自立可能な状態となる。そして、キャリーバッグが自立可能な状態となったとき、シャフト部４０は、底面支持部３１から略鉛直方向に延びており、ハンドル部５０は、シャフト部４０の上端から略水平方向に延びている。このとき、ハンドル部５０に設けられた各把持部５１、５２、５３は、４輪のキャスター６０の接地部分６３で囲まれた領域の上方の領域内に設けられている。そのため、キャリーバッグが自立可能な状態では、使用者がハンドル部５０の各把持部５１、５２、５３を把持して体重を掛けると、４輪のキャスター６０の接地部分６３で囲まれた領域内に力が作用する。その結果、キャリーバッグを押す際に使用者が体重を掛けても、キャリーバッグは倒れにくく安定した使用感を得ることができる。
【００４４】
（２）本実施形態のキャリーバッグに設けられた第１把持部５１と第２把持部５２及び第３把持部５３とは、キャリーバッグを自立状態で移動させる際のキャスター６０の回動軸６２の軸方向における異なる位置に設けられている。そのため、使用者は、キャリーバッグの移動方向に直交する方向の異なる任意の位置で、ハンドル部５０を把持することができる。例えば、使用者が自身の横でキャリーバッグを押すような場合（図６（ａ）に示す状態）、自身に近い位置の第１把持部５１を把持することもできるし、自身に遠い位置の第２把持部５２や第３把持部５３を把持することができる。使用者の体格等に制約を受けることなく、使用者は自身が把持しやすい位置で自由に各把持部５１、５２、５３を選択して把持することができる。
【００４５】
（３）本実施形態のキャリーバッグに設けられたハンドル部５０は、上面視台形状に形成されており、前後方向に延びる第１把持部５１と、第１把持部５１の前端縁から斜め前方に延びる第２把持部５２と、第１把持部５１の後端縁から斜め後方に延びる第３把持部５３が設けられている。そのため、使用者がキャリーバッグを自身の斜め前方に位置した状態で移動させたいときや、自身の斜め後方に位置した状態で移動させたいときにも把持しやすい。
【００４６】
ハンドル部５０が上面視矩形状に形成されていると、本実施形態の第２把持部５２、第３把持部５３に相当する把持部は、キャリーバッグの幅方向に沿って真っ直ぐ延びることになる。そうすると、使用者がキャリーバッグを自身の斜め前方や斜め後方に位置した状態で移動させたいときには、キャリーバッグの幅方向に沿って真っ直ぐ延びる把持部に合わせて手首を屈曲させなければならない。そのため、手首に無理な力が掛かって把持しにくい上、キャリーバッグを移動させにくい。これに比べて、本実施形態のキャリーバッグに設けられたハンドル部５０の形状では、使用者が無理なく第２把持部５２、第３把持部５３を把持することができる。
【００４７】
（３）第３把持部５３が斜め後方に延びているため、例えば収納本体２０内の荷物が重いような場合には、使用者は自身の斜め前方にキャリーバッグを位置させて第３把持部５３を斜め後方から把持しながら、キャリーバッグを押すようにして移動させるとよい。このとき、使用者は、自身の体格等に応じて第３把持部５３内の任意の位置を把持することができる。また、第２把持部５２が斜め前方に延びているため、例えば移動する通路幅が狭いような場合には、使用者は自身の斜め後方にキャリーバッグを位置させて第２把持部５２を斜め前方から把持しながら、キャリーバッグを引っ張るようにして移動させるとよい。このとき、使用者は、自身の体格等に応じて第２把持部５２内の任意の位置を把持することができる。さらに、キャリーバッグに体重を掛けながら移動したいような場合には、自身の横で第１把持部５１を把持しながら、ハンドル部５０に体重を掛けるようにして移動させるとよい。このとき、使用者は、自身の体格等に応じて第１把持部５１内の任意の位置を把持することができる。
【００４８】
このように、把持部５１、５２、５３が複数設けられており、第２把持部５２、第３把持部５３は斜め方向に延びているため、収納物の重量、使用時の周辺環境、使用者の体格や力等の状況に合わせて、任意の把持部５１、５２、５３の任意の位置を適宜選択して把持することができる。
【００４９】
（４）ハンドル部５０に設けられた把持部５１、５２、５３は、連設された形状で形成されている。そのため、第１把持部５１と第２把持部５２との間のＲ形状の部分、第１把持部５１と第３把持部５３との間のＲ形状の部分を適宜選択して把持することができる。
【００５０】
（５）ハンドル部５０の先端の第１把持部５１は、キャリーバッグが自立状態とされたとき、４輪のキャスター６０の接地部分６３で囲まれた領域の上方の領域内であって、かつ、長方形状の底面支持部３１の背面側の長辺部３１ａと正面側の長辺部３１ａとの中間位置Ｃより正面側の長辺部３１ａ側の領域内に設けられている。そのため、キャリーバッグを押す際に使用者が第１把持部５１に体重を掛けても、キャリーバッグは倒れにくい。キャリーバッグを押す際に安定した使用感を得ることができる。
【００５１】
（６）本実施形態のキャリーバッグに設けられたハンドル部５０は、正面側の２つの角部５０ｂ、５０ｂがＲ形状に形成されている。そのため、第１把持部５１と第２把持部５２との境界部分を把持しやすく、また、第１把持部と第３把持部５３との境界部分を把持しやすい。
【００５２】
（７）本実施形態のキャリーバッグに設けられたハンドル部５０は、背面側の部分の長さＬ１が、２つのシャフト４１、４２の間隔Ｌ２より長い。そして、図６（ａ）に示す状態で使用する際、ハンドル部５０の背面側の部分は、その前端縁が前方側に設けられたシャフト４１より前方側に位置し、その後端縁が後方側に設けられたシャフト４２より後方に位置している。そのため、ハンドル部５０の背面側の２つの角部５０ａ、５０ａをＲ形状に形成しやすい。
【００５３】
（８）本実施形態のキャリーバッグに設けられたシャフト部４０は、２つのシャフト４１、４２を有しており、各シャフト４１、４２は、伸縮機構及びストッパ機構により任意の長さに調整することができる。そのため、ハンドル部５０の高さを使用者の体格等に合わせて自由に調整することができる。
【００５４】
（９）本実施形態のキャリーバッグに設けられたシャフト部４０は、底面支持部３１から鉛直方向上方に延びている。そのため、ハンドル部５０の高さを任意の位置に調整しても、ハンドル部５０の先端の水平方向の位置は変わることがない。ハンドル部５０の高さ調整によって、複数の把持部５１、５２、５３の位置に制約が生じるのを抑制することができる。
【００５５】
（１０）キャリーバッグを図６（ａ）に示す状態で使用する際、ハンドル部５０の先端の第１把持部５１は、中間位置Ｃより使用者に近い位置に位置しているため、使用者はキャリーバッグを自身の横から少し離れた位置で把持することができる。そのため、使用者の足がキャリーバッグに接触したりする事態が抑制される。キャリーバッグを自身の横で押したとしても、キャリーバッグと使用者の足とが干渉しにくく、キャリーバッグを押す際に安定した使用感を得ることができる。
【００５６】
（１１）本実施形態のキャリーバッグでは、収納本体２０の底面２０ａ及び背面側の側面２０ｂの周囲がパイプ状の部材で支持されているが、他の側面はパイプ状の部材で支持されていない。そのため、収納本体２０の上面や、背面側の側面以外の側面に開口部を設けることができる。収納本体２０に開口部を設ける位置や形状等に対する制約を抑制することができる。
【００５７】
（１２）本実施形態のキャリーバッグでは、シャフト４１、４２がフレーム体１０の背面側に取り付けられており、収納本体２０の正面側の側面に開口部が設けられている。そのため、使用者がキャリーバッグの正面側を自身の横に位置させて移動させる場合、開口部は使用者側に位置している。開口部を介して収納本体２０内へ収納物を入れたり、収納本体２０から収納物を出したりすることが容易である。開口部が収納本体２０の上面に設けられていたり、上面から側面にかけて設けられていたりする場合であっても、同様の効果が得られる。
【００５８】
上記実施形態は以下のように変更してもよく、また、これらの変更例を適宜組み合わせて適用してもよい。
・  上記実施形態では、ハンドル部５０を上面視台形状に形成したが、ハンドル部５０の形状はこれに限定されない。図８（ａ）に示すように、上面視Ｕ字状に形成してもよく、図８（ｂ）に示すように、楕円形状に形成してもよい。また、円形状、多角形状、不定形状に形成してもよい。中でも、図８（ａ）、図８（ｂ）のようにハンドル部５０の形状が上面視Ｕ字状や楕円形状、円形状に形成されているような場合、各把持部が連続して形成されていてその境界を明確に判別できない。使用者は、連続して形成された複数の把持部のどの部分を把持しても、キャリーバッグを安定して支持することができて、把持部の選択の幅が広がる。
【００５９】
・  上記実施形態では、図６（ａ）に示す状態で使用したとき、ハンドル部５０の背面側の部分は、その前端縁が前方側に設けられたシャフト４１より前方側に位置し、その後端縁が後方側に設けられたシャフト４２より後方に位置しているが、ハンドル部５０とシャフト４１、４２との位置関係はこれに限定されない。図８（ｃ）に示すように、ハンドル部５０の背面側の部分の前端縁が前方側に設けられたシャフト４１と同じ位置であり、その後端縁が後方側に設けられたシャフト４２と同じ位置であってもよい。
【００６０】
・  上記実施形態では、複数の把持部５１、５２、５３が、４輪のキャスター６０が接地された状態で移動させる際に、キャスター６０の回動軸の軸方向における異なる位置に設けられているが、複数の把持部の位置はこれに限定されない。複数の把持部が、キャスターの回動軸の軸方向と直交する方向における異なる位置に設けられていてもよい。この場合、複数の把持部が連続して形成されていてその境界を明確に判別できなくてもよく、また、複数の把持部が別個に形成されて、それらがキャスターの回動軸の軸方向と直交する方向に並設されていてもよい。なお、複数の把持部のうち、少なくとも１つの把持部は、キャスター６０の回動軸の軸方向における異なる位置に設けられている。
【００６１】
・  本実施形態のハンドル部５０は、シャフト４１、４２の上端間が連結部５５で連結された形状とされているが、これに限定されない。図８（ｄ）に示すように、シャフト４１、４２の上端間に連結部５５が存在しなくてもよい。また、図８（ｅ）に示すように、ハンドル部５０がシャフト４１、４２の上端から湾曲するような形状で連設されて徐々にシャフト４１、４２に対して直交する形状となっていてもよい。
【００６２】
・  ハンドル部５０を、シャフト部４０に対して回動可能としてもよい。例えば、図８（ｆ）に示すようなハンドル部５０を、前後方向に延びる回動軸５０ｃを中心として回動可能としてもよい。こうすると、シャフト部４０の長さを最短として、ハンドル部５０が側面支持部３２の上側の長辺部３２ａに位置する状態となったとき、ハンドル部５０を回動させて、収納本体２０の背面側に収容することができる。回動させたハンドル部５０は、図示しない固定機構によって、使用状態、固定状態のそれぞれの状態に固定できるようにすることが好ましい。
【００６３】
・  ハンドル部５０に、第１把持部５１、第２把持部５２、第３把持部５３以外の他の把持部を設けてもよい。例えば、図８（ｇ）に示すように、第２把持部５２の中間位置を第３把持部５３の中間位置とを連結する形状の第４把持部５４を設けてもよい。
【００６４】
・  本実施形態のハンドル部５０では、シャフト４１、４２の上端間を連結部５５として記載したが、キャリーバッグを使用する際に連結部５５を把持することもできる。つまり、ハンドル部５０の全周を把持することができる。
【００６５】
・  本実施形態のハンドル部５０は、角部５０ａ、５０ｂがＲ形状に形成されているが、Ｒ形状でなくてもよい。
・  ハンドル部５０の上面、下面、或いは側面の少なくとも一面に滑り止めが施されていてもよい。滑り止めは、例えば、各面に一体に形成された凹凸形状や、別体に設けられた滑り止め部材等が挙げられる。こうすると、ハンドル部５０の各把持部５１、５２、５３、５４や連結部５５を把持したときに滑りにくくなってしっかりと把持することができる。
【００６６】
・  ハンドル部５０に弾性部材を巻き付けてもよい。こうすると、ハンドル部５０の各把持部５１、５２、５３、５４や連結部５５を把持したときに使用感がよくなる。
・  本実施形態のフレーム体１０では、底面支持部３１の背面側の中間位置から２つのシャフト４１、４２が上方に延びる形状としたが、フレーム体１０の形状はこれに限定されない。例えば、図９（ａ）に示すように、側面支持部３２の前後方向の長さが短く、シャフト４１、４２の間隔と同じとされていてもよい。この場合、側面支持部３２の短辺部３２ｂ、３２ｂとシャフト４１、４２とで伸縮機構、ストッパ機構を構成すればよい。
【００６７】
図９（ｂ）に示すように、側面支持部３２が本実施形態と同様の形状とされて、シャフト４１、４２が側面支持部３２の各短辺部３２ｂ、３２ｂから上方に延びていてもよい。この場合も、短辺部３２ｂ、３２ｂとシャフト４１、４２とで伸縮機構、ストッパ機構を構成すればよい。また、この場合には、シャフト部４０の上端に設けられたハンドル部５０の背面側の長さＬ１は、２つのシャフト４１、４２の間隔Ｌ２と同じとされている。
【００６８】
図９（ｃ）に示すように、側面支持部３２が収納本体２０を側面側から支持するのではなく、収納本体２０の幅方向中間位置で支持する形状とされていてもよい。この場合も。短辺部３２ｂ、３２ｂとシャフト４１、４２とで伸縮機構、ストッパ機構を構成すればよい。また、ハンドル部５０は、シャフト４１、４２の上縁で、キャリーバッグの幅方向両側に延びるように形成されている。
【００６９】
図９（ｄ）に示すように、側面支持部３２及びシャフト４１、４２の形状を図９（ｃ）と同様に形成し、ハンドル部５０の前後方向の長さを小さくしてもよい。
図９（ｅ）に示すように、底面支持部３１の４隅から鉛直方向上方にパイプ状の部材が立設され、底面支持部３１の対角線上に対向する短辺部３２ｂ、３２ｂから、それぞれシャフト４１、４２が上方に伸びる形状とされていてもよい。この場合も、短辺部３２ｂ、３２ｂとシャフト４２、４２とで伸縮機構、ストッパ機構を構成すればよい。また、ハンドル部５０は、シャフト４１、４２の上端を直線状に連結するように形成されている。
【００７０】
図９（ａ）〜（ｅ）に示したいずれの変更例でも、ハンドル部５０に設けられた把持部は、キャスター６０が接地された状態で移動させる際に、キャスター６０の接地部分６３で囲まれた領域の上方の領域内で、かつ、キャスター６０の回動軸６２の軸方向における異なる位置に設けられている．また、いずれの変更例でも、収納本体２０は、底面支持部３１と側面支持部３２とで支持されるが、収納本体２０の形状、開口部の形成位置等は、使い勝手に合わせて適宜設定することができる。
【００７１】
・  本実施形態のキャリーバッグのシャフト部４０は、平行に延びる２つのシャフト４１、４２からなるが、シャフトの本数はこれに限定されない。１つであってもよく、３つ以上であってもよい。
【００７２】
・  シャフト部４０の高さ調整ができなくてもよい。つまり、伸縮機構、ストッパ機構を有していなくてもよい。
・  本実施形態のキャリーバッグのキャスター６０は、取付軸６１周りに回動可能としたが、回動不能であってもよい。この場合、すべてのキャスター６０は、キャリーバッグを図５で示す前後方向に移動可能な向きに固定されていることが好ましい。
【００７３】
・  本実施形態のキャリーバッグのキャスター６０は、底面支持部３１の下面の４隅に１つずつ取り付けられているが、キャスター６０の個数はこれに限定されない。キャリーバッグが自立可能であれば、３つでもよく、５つ以上でもよい。
【００７４】
・  本実施形態のキャリーバッグの収納本体２０は、直方体箱形状に形成されているが、その形状はこれに限定されない。
【符号の説明】
【００７５】
１０…フレーム体、２０…収納本体（収納部）、３１…底面支持部（支持部）、３１ａ…長辺部、３１ｂ…短辺部、３２…側面支持部、４０…シャフト部、４１…シャフト、４２…シャフト、５０…ハンドル部、５１…第１把持部、５２…第２把持部、５３…第３把持部、６０…キャスター、６２…回動軸、６３…接地部分、Ｃ…中間位置。
【図１】
2019107086.tif 000003
【図２】
2019107086.tif 000004
【図３】
2019107086.tif 000005
【図４】
2019107086.tif 000006
【図５】
2019107086.tif 000007
【図６】
2019107086.tif 000008
【図７】
2019107086.tif 000009
【図８】
2019107086.tif 000010
【図９】
2019107086.tif 000011
【図１０】
2019107086.tif 000012
【図１１】
2019107086.tif 000013